(57)【要約】【課題】従来、給湯等の通過経路の非燃焼部の吸熱管が完全に閉止した場合、管内部の温度上昇により沸騰しスケール等の付着が発生する課題を有していた。【解決手段】給湯暖房風呂機能を有する１缶３機能燃焼装置において複数本のバーナ１５で加熱される第１循環回路１８の主熱交換装置１６と、第１循環回路１８と第２循環回路１９が熱交換する第１間接熱交換装置２０と、第１循環回路１８と第３循環回路２１が熱交換する第２間接熱交換装置２２を有する燃焼装置で、バーナ１５の燃焼箇所に対応した主熱交換装置１６の吸熱管２６にのみ通水するように流路を吸熱部２８と非吸熱部２９とに切り換える切り換え手段２７を有し、非吸熱部２９の吸熱管２６の温度上昇を抑制し、通過経路が循環回路を形成する時にも非燃焼部１５Ｂからの放熱量を低減でき高い熱効率を実現する燃焼装置を提供することを目的とする。【選択図】図１
2006046887.tif 000002
【特許請求の範囲】
【請求項１】
給湯暖房風呂機能を有する１缶３機能燃焼装置において、複数本のバーナで加熱される第１循環回路の主熱交換装置と、前記第１循環回路と第２循環回路が熱交換する第１間接熱交換装置と、前記第１循環回路と第３循環回路が熱交換する第２間接熱交換装置を有する燃焼装置で、前記バーナの燃焼箇所に対応した前記主熱交換装置の吸熱管にのみ通水するように流路を吸熱部と非吸熱部とに切り換える切り換え手段を有する燃焼装置。
【請求項２】
主熱交換装置の吸熱部を暖房運転時に使用する請求項１記載の燃焼装置。
【請求項３】
主熱交換装置の吸熱部を給湯運転時に使用する請求項１記載の燃焼装置。
【請求項４】
主熱交換装置の吸熱部を風呂運転時に使用する請求項１記載の燃焼装置。
【請求項５】
第１循環回路が給湯回路を兼ね、前記第１循環回路に耐圧循環装置を設けた請求項１記載の燃焼装置。
【請求項６】
第１循環回路が暖房回路を兼ね、前記第１循環回路の循環装置を暖房循環装置で兼用する請求項１記載の燃焼装置。
【請求項７】
切り換え手段が吸熱部と非吸熱部を切り換える三方弁で構成され、前記三方弁が完全閉止機能を持たないことで非吸熱部の沸騰を抑制する請求項１から６のいずれか１項に記載の燃焼装置。
【請求項８】
切り換え手段が吸熱部と非吸熱部を切り換える複数の流量制御弁で構成され、前記流量制御弁が非吸熱部の通水を完全閉止しないことで前記非吸熱部の沸騰を抑制する請求項１から６のいずれか１項に記載の燃焼装置。
【請求項９】
給湯暖房風呂機能を有する１缶３機能燃焼装置において、バーナで加熱される給湯回路の主熱交換装置と、前記給湯回路と暖房回路が熱交換する給湯暖房間接熱交換器と、前記給湯回路と風呂回路が熱交換する給湯風呂間接熱交換器を有する燃焼装置で、予め定められた給湯、暖房、風呂機能の定格能力内で運転する通常運転モードと、給湯定格能力を超えた運転を要求される際は前記給湯定格能力を超えて運転する特別運転モードとを備えた燃焼装置。
【請求項１０】
給湯暖房風呂機能を有する１缶３機能燃焼装置において、バーナで加熱される給湯回路の主熱交換装置と、前記給湯回路と暖房回路が熱交換する給湯暖房間接熱交換器と、前記給湯回路と風呂回路が熱交換する給湯風呂間接熱交換器を有する燃焼装置で、予め定められた給湯、暖房、風呂機能の定格能力内で運転する通常運転モードと、暖房定格能力を超えた運転を要求される際は前記暖房定格能力を超えて運転する特別運転モードとを備えた燃焼装置。
【請求項１１】
暖房運転開始時に暖房定格能力を超えて運転する請求項１０記載の燃焼装置。
【請求項１２】
給湯暖房風呂機能を有する１缶３機能燃焼装置において、バーナで加熱される給湯回路の主熱交換装置と、前記給湯回路と暖房回路が熱交換する給湯暖房間接熱交換器と、前記給湯回路と風呂回路が熱交換する給湯風呂間接熱交換器を有する燃焼装置で、予め定められた給湯、暖房、風呂機能の定格能力内で運転する通常運転モードと、風呂定格能力を超えた運転を要求される際は前記風呂定格能力を超えて運転する特別運転モードとを備えた燃焼装置。
【発明の詳細な説明】
【技術分野】
【０００１】
本発明は、１つの燃焼ユニットで給湯と暖房と風呂追い焚きの機能を有する燃焼装置に関するものである。
【背景技術】
【０００２】
従来の燃焼装置は、大型の給湯機等で一部の燃焼面だけを燃焼させる運転状態において、高い熱効率を得ることのできるものがある（例えば特許文献１参照）。図７は、前記公報に記載された従来の燃焼装置を示すものである。図７に示すように、複数の燃焼面１〜３を有するバーナ４と、バーナ４への給排気を行う燃焼ファン５と、燃焼熱で加熱される吸熱管６と、流体の通過経路７〜９を複数有するものと、通過経路を開閉する電磁弁１０、１１と、電磁弁を制御することで加熱流体を流す複数の通貨経路をバーナ燃焼箇所に応じて選択する経路選択箇所１２を設けて構成される。よって非燃焼部の通過経路からの燃焼ファンからの送風による放熱を防止する。
【特許文献１】特開２００４−１２５２６６号公報
【発明の開示】
【発明が解決しようとする課題】
【０００３】
しかしながら上記特許文献１の従来の燃焼装置では、例えば給湯等の通過経路を複数設け燃焼部の通過経路を選択し通水するため、非燃焼部の吸熱管が完全に閉止し通水しない場合、わずかに漏れる燃焼ガスの熱で管内部の温度上昇により沸騰しスケール等の付着が発生するという課題を有していた。また、給湯単機能装置の発明であり、通過経路が循環回路を形成する構成は開示されていなかった。
【０００４】
本発明は前記従来の課題を解決するもので、非燃焼部の吸熱管の温度上昇を抑制し、通過経路が循環回路を形成し間接熱交換装置で暖房や風呂追い焚きする時にも非燃焼部からの放熱量を低減できる燃焼装置を提供すること、及び１缶で循環回路を構成し、循環回路中に間接熱交換器を用い暖房や風呂追い焚きもできることを目的とする。
【課題を解決するための手段】
【０００５】
前記従来の課題を解決するために、本発明の燃焼装置は、複数本のバーナで加熱される第１循環回路の主熱交換装置と、第１循環回路と第２循環回路が熱交換する第１間接熱交換装置と、第１循環回路と第３循環回路が熱交換する第２間接熱交換装置を有する燃焼装置において、バーナの燃焼箇所に対応した主熱交換装置の吸熱管にのみ通水するように流路を吸熱部と非吸熱部とに切り換える切り換え手段を設けたものである。
【０００６】
これによって、循環回路を形成する燃焼装置の非燃焼部からの放熱損失を最小限にする給湯暖房風呂機能を有する１缶３機能燃焼装置を実現できる。
【０００７】
また、本発明の燃焼装置は、給湯暖房風呂機能を有する１缶３機能燃焼装置において、バーナで加熱される給湯回路の主熱交換装置と、前記給湯回路と暖房回路が熱交換する給湯暖房間接熱交換器と、前記給湯回路と風呂回路が熱交換する給湯風呂間接熱交換器を有する燃焼装置で、予め定められた給湯、暖房、風呂機能の定格能力内で運転する通常運転モードと、各定格能力を超えた運転を要求される際は前記各定格能力を超えて運転する特別運転モードとを備えたものである。
【０００８】
これによって、予め定められた給湯、暖房、風呂機能の定格能力を超えた運転が可能となり、主熱交換装置の加熱能力を給湯側、暖房側、風呂側のどちらへもフレキシブルに利用することができる。
【発明の効果】
【０００９】
本発明の燃焼装置は、循環回路を加熱し他の循環回路や通水経路と熱交換して加熱する時に燃焼能力を絞り燃焼しているバーナの数を少なくしたときでも非燃焼部からの放熱損失を最小限にとどめ高い燃焼熱効率を実現し、非燃焼部の通水管の沸騰を防止でき、また１つの燃焼ユニットで給湯と暖房と風呂追い焚きの３つの機能をもたらすことでコンパクトな１缶３機能の燃焼装置を実現できる。
【００１０】
また、予め定められた給湯、暖房、風呂機能の定格能力を超えた運転が可能となり、主熱交換装置の加熱能力を給湯側、暖房側、風呂側のどちらへもフレキシブルに利用することができる。
【発明を実施するための最良の形態】
【００１１】
第１の発明は、複数本のバーナで加熱される第１循環回路の主熱交換装置と、第１循環回路と第２循環回路が熱交換する第１間接熱交換装置と、第１循環回路と第３循環回路が熱交換する第２間接熱交換装置を有する燃焼装置において、バーナの燃焼箇所に対応した主熱交換装置の吸熱管にのみ通水するように流路を吸熱部と非吸熱部とに切り換える切り換え手段を構成することで、循環回路を加熱し他の循環回路や通水経路と熱交換して加熱する時に燃焼能力を絞り燃焼しているバーナの数を少なくしたときでも非燃焼部からの放熱損失を最小限にとどめ高い燃焼熱効率を実現し、非燃焼部の通水管の沸騰を防止でき、また１つの燃焼ユニットで給湯と暖房と風呂追い焚きの３つの機能をもたらしコンパクトで放熱ロスの少ない給湯暖房風呂機能を有する１缶３機能の燃焼装置を実現することができる。
【００１２】
第２の発明は、特に、第１の発明の燃焼装置の主熱交換装置の吸熱部を暖房運転時に使用することにより、第１循環回路を給湯に使用し、第２循環回路を暖房に使用することで、第１循環回路で得られた高い燃焼熱効率による温水は第１間接熱交換装置で暖房側に伝熱されるので非吸熱部からの放熱ロスを減少し暖房熱効率を向上できる。
【００１３】
第３の発明は、特に、第１の発明の燃焼装置の主熱交換装置の吸熱部を給湯運転時に使用することにより、非吸熱部からの放熱ロスを減少し給湯熱効率を向上することができる。
【００１４】
第４の発明は、特に、第１の発明の燃焼装置の主熱交換装置の吸熱部を風呂運転時に使用することにより、第１循環回路を給湯に使用し、第３循環回路を風呂に使用することで、第１循環回路で得られた高い燃焼熱効率による温水は第２間接熱交換装置で風呂側に伝熱されるので非吸熱部からの放熱ロスを減少し風呂熱効率を向上することができる。
【００１５】
第５の発明は、特に、第１の発明の燃焼装置に第１循環回路が給湯回路を兼ね、第１循環回路に耐圧循環装置を設け、第１循環回路内を温水循環させることにより、主熱交換装置を給湯用熱交換器として作用できるため即湯機能を実現することができる。
【００１６】
第６の発明は、特に、第１の発明の燃焼装置の第１循環回路が暖房回路を兼ね、第１循環回路の循環装置を暖房循環装置で兼用することにより、新たな循環装置を設ける必要がない。
【００１７】
第７の発明は、特に、第１〜６の発明のいずれか１つの燃焼装置の切り換え手段が吸熱部と非吸熱部を切り換える三方弁で構成され、三方弁が完全閉止機能を持たないことで、非吸熱部への少量の水の出入りを可能にさせ非吸熱部の沸騰を抑制することができる。
【００１８】
第８の発明は、特に、第１〜６の発明のいずれか１つの燃焼装置の切り換え手段が吸熱部と非吸熱部を切り換える複数の流量制御弁で構成され、流量制御弁が非吸熱部の通水を完全閉止しないことで非吸熱部の沸騰を抑制することができる。
【００１９】
第９の発明は、給湯暖房風呂機能を有する１缶３機能燃焼装置において、バーナで加熱される給湯回路の主熱交換装置と、前記給湯回路と暖房回路が熱交換する給湯暖房間接熱交換器と、前記給湯回路と風呂回路が熱交換する給湯風呂間接熱交換器を有する燃焼装置で、予め定められた給湯、暖房、風呂機能の定格能力内で運転する通常運転モードと、給湯定格能力を超えた運転を要求される際は前記給湯定格能力を超えて運転する特別運転モードとを備えたことで、予め定められた給湯機能の定格能力を超えた運転が可能となり、主熱交換装置の加熱能力を給湯側、暖房側、風呂側のどちらへもフレキシブルに利用することができる。
【００２０】
第１０の発明は、給湯暖房風呂機能を有する１缶３機能燃焼装置において、バーナで加熱される給湯回路の主熱交換装置と、前記給湯回路と暖房回路が熱交換する給湯暖房間接熱交換器と、前記給湯回路と風呂回路が熱交換する給湯風呂間接熱交換器を有する燃焼装置で、予め定められた給湯、暖房、風呂機能の定格能力内で運転する通常運転モードと、暖房定格能力を超えた運転を要求される際は前記暖房定格能力を超えて運転する特別運転モードとを備えたことで、予め定められた暖房機能の定格能力を超えた運転が可能となり、主熱交換装置の加熱能力を暖房側、給湯側、風呂側のどちらへもフレキシブルに利用することができる。
【００２１】
第１１の発明は、特に、第１０の発明において、暖房運転開始時に暖房定格能力を超えて運転することで、早朝等に要求されるコールドスタート時に暖房を急速に立ち上げ、暖房の立ち上がり時間を大幅に短くすることができる。
【００２２】
第１２の発明は、給湯暖房風呂機能を有する１缶３機能燃焼装置において、バーナで加熱される給湯回路の主熱交換装置と、前記給湯回路と暖房回路が熱交換する給湯暖房間接熱交換器と、前記給湯回路と風呂回路が熱交換する給湯風呂間接熱交換器を有する燃焼装置で、予め定められた給湯、暖房、風呂機能の定格能力内で運転する通常運転モードと、風呂定格能力を超えた運転を要求される際は前記風呂定格能力を超えて運転する特別運転モードとを備えたことで、予め定められた風呂追い焚き機能の定格能力を超えた運転が可能となり、主熱交換装置の加熱能力を風呂側、暖房側、給湯側のどちらへもフレキシブルに利用することができる。
【００２３】
以下、本発明の実施の形態について、図面を参照しながら説明する。従来例および各実施の形態において、同じ構成、同じ動作をする部分については同一符号を付与し、詳細な説明を省略する。なお、この実施の形態によって本発明が限定されるものではない。
【００２４】
（実施の形態１）
図１は本発明の実施の形態１の燃焼装置の全体構成図である。
【００２５】
図１において、燃焼装置１３は、燃焼空気を送る燃焼ファン１４と、バーナ１５と、バーナ１５の燃焼により発生する燃焼熱を受熱する主熱交換装置である主熱交換器１６と、主熱交換器１６を形成する複数のフィン１７と第１循環回路である給湯回路１８と、給湯回路の熱を第２循環回路である暖房回路１９へ伝熱する第１間接熱交換装置である給湯暖房間接熱交換器２０と、給湯回路の熱を第３循環回路である風呂回路２１へ伝熱する第２間接熱交換装置である給湯風呂間接熱交換器２２と、給湯回路１８の水を循環させる耐圧循環装置である耐圧ポンプ２３と暖房回路１９の水を循環させる暖房ポンプ２４と、風呂回路２１の湯水を循環させる風呂ポンプ２５が設けられている。さらに、主熱交換器１６を貫通する複数本の吸熱管２６に通水する流路を、主熱交換器１６の入口側に設けた切り換え手段である三方弁２７で吸熱部２８と非吸熱部２９に切り換える。給湯用の吸水管３０と、お湯が出る出口を出湯管３１とする。この時、通常の給湯暖房機の暖房定格燃焼入力は１５０００kcal/h、給湯定格燃焼入力は４５０００kcal/hであり、それぞれ独立している。そして全燃焼入力が６００００kcal/hあり、燃焼入力が１５０００kcal/hある第１バーナ（暖房風呂用バーナ）１５Ａと、燃焼入力が４５０００kcal/hある第２バーナ（給湯用バーナ）１５Ｂの少なくともどちらか一方の燃焼を行うことができるものである。なお、燃焼入力に熱効率をかけたものが能力であり、以下の説明で、燃焼入力を能力と解釈して良い。
【００２６】
以上のように構成された燃焼装置について、以下その動作・作用を説明する。
【００２７】
暖房運転が早朝等の最初に要求されるコールドスタート時には、特別暖房運転モード（特別運転モード）として耐圧ポンプ２３と暖房ポンプ２４を駆動し、燃焼ファン１４の空気とガスをバーナ１５で混合し燃焼入力６００００kcal/hの最大燃焼を開始する。すなわち第１バーナ１５Ａと第２バーナ１５Ｂを同時に燃焼させることで燃焼熱が主熱交換器１６を通過する際に、フィン１７を介して吸熱管２６へ多量に伝熱する。吸熱管２６で吸熱した高温水は耐圧ポンプ２３で給湯回路１８を循環し、給湯暖房間接熱交換器２０で暖房回路１９の温水を加熱することで、暖房の立ち上がり時間を定格燃焼入力１５０００kcal/h単独バーナに比べて大幅に短くすることが可能となる。
【００２８】
実際の例を図２で説明する。暖房運転が早朝等の最初に要求されるコールドスタート時には７０００kcal程度の加熱量が必要であり、通常暖房運転モード３５である  １５０００kcal/hを超えて、特別運転モード３６の燃焼入力６００００kcal/hまでバーナ１５を燃焼させることで暖房を急速立ち上げすることにより、室温５℃から２０℃に到達するまで６０分要していたものが３０分で実現可能となる。
【００２９】
なお、高い暖房能力を必要としない通常時には、通常暖房運転モード（通常運転モード）として、バーナ１５Ａのみで加熱を行い、主熱交換器１６の吸熱部２８にのみ三方弁２７で流路を切り換え通水することで、非吸熱部２９からの放熱を抑制し熱効率を向上できる。
【００３０】
なお、三方弁２７を省略して熱効率向上のかわりに低コスト化を優先しても良い。
【００３１】
同様に、風呂運転が要求される時には、特別風呂運転モード（特別運転モード）として、耐圧ポンプ２３と風呂ポンプ２５を駆動し、燃焼ファン１４の空気とガスをバーナ１５で混合し燃焼入力６００００kcal/hの最大燃焼を行うことで、風呂回路２１へも給湯風呂間接熱交換器２２で風呂回路２１の浴槽水加熱を短時間で行うことができる。
実際の例を図３で説明する。冬場前日にためておいた浴槽水を再加熱する時には６０００kcal程度の加熱量が必要であり、通常風呂運転モード３７である定格燃焼入力１１０００kcal/hを超えて、特別風呂運転モード３８の燃焼入力６００００kcal/hまでバーナ１５を燃焼させる急速追い焚きにより浴槽水２００Lで１０℃から４０℃まで沸き上げるのに３２分要していたものが１９分で沸き上げ可能となる。
【００３２】
なお、急速な加熱を必要としない場合は、通常風呂運転モード（通常運転モード）として、三方弁２７で流路を切り換えバーナ１５Ａのみで加熱することで小能力の燃焼を行い風呂への加熱を緩やかにするマイルドな追い焚き機能も実現できると共に非吸熱部２９からの放熱を抑制し熱効率を向上できる。
【００３３】
なお、三方弁２７を省略して熱効率向上のかわりに低コスト化を優先しても良い。
【００３４】
当然ながら給湯運転時、定格燃焼入力４５０００kcal/h以上の大能力が必要な場合、例えば、冬場に３カ所９L/minの給湯で１０℃から４０℃まで昇温する場合は、通常給湯運転モード（通常運転モード）である定格燃焼入力４５０００kcal/hを超えて、特別給湯運転モード（特別運転モード）として、第１バーナ１５Ａと第２バーナ１５Ｂを同時に燃焼させトータル燃焼入力６００００kcal/hの最大燃焼を行い３２号相当の大出湯能力を実現できる。
【００３５】
なお、以上の説明で、給湯暖房機の定格燃焼入力を給湯定格燃焼入力４５０００kcal/h、暖房定格燃焼入力１５０００kcal/h、風呂定格燃焼入力１１０００kcal/hとしたが、給湯定格燃焼入力６００００kcal/h、暖房定格燃焼入力１５０００kcal/h、風呂定格燃焼入力１１０００kcal/hとして暖房、風呂に要求される燃焼入力を給湯燃焼入力より供給すると解釈しても良い。
【００３６】
以上のように主熱交換器１６の加熱能力を給湯側、暖房側、風呂側のどちらへもフレキシブルに利用することができ、また、暖房、風呂単独使用時に吸熱部を切り換えることで熱効率を向上できる。
【００３７】
図１ではバーナ１５Ａへガスを供給しこの部分のみが燃焼している状態を示している。すなわち室内温度が一定温度に上昇し定常状態の暖房運転を要求されたときや、洗面所や台所で少量の給湯を行うような給湯小燃焼を要求された場合であり、バーナ１５Ｂへはガスの供給がなく燃焼ファン１４の空気のみが主熱交換器１６の非吸熱部２９を通過する。
【００３８】
この時、完全閉止機能を持たない三方弁２７により主熱交換器１６を通過する水の大半を吸熱部２８へ通過させ極少量を非吸熱部２９へ通水するように切り換えることで、非燃焼部２９で冷却されることなくバーナ１５Ａで水を加熱することができる。
【００３９】
また、少量の水が非吸熱部２９へ通水されることで、非吸熱部２９の吸熱部２８近傍に漏れる燃焼ガスの熱による吸熱で管内の沸騰を防止でき、吸熱管内のスケール付着を防止でき、耐久性を高めることがでる。
【００４０】
この結果、給湯暖房風呂の機能を有する１缶３機能の燃焼装置をコンパクトにすることができ、少ない燃焼量の暖房運転時や給湯運転、風呂運転における放熱損失を最小限にとどめ高い燃焼熱効率を実現できる。さらに、最大燃焼を行うときは、三方弁２７で流路を主熱交換器１６全体へ流れるよう切り換えることで、非燃焼部２９が存在しないため給湯最大運転時の高い燃焼熱効率も発揮できる。
【００４１】
本実施例ではバーナ１５Ａとバーナ１５Ｂの二つを切り換える例について説明したが、各バーナを更に細かく切り換えて燃焼させる構成をとることも当然可能である。さらに、図４に示すように三方弁２７を主熱交換器１６の出口側に設け、流路後段側へ複数の流量制御弁である電磁弁３２を設けた場合でも同様の効果を発揮することができる。
【００４２】
また、三方弁２７を省略し、燃焼熱効率よりもコストを優先し、主熱交換器１６の加熱能力を給湯側、暖房側、風呂側のどちらへもフレキシブルに利用しても良い。
【００４３】
よって、従来の給湯、暖房、風呂用に個別にバーナと熱交換器を備え、各定格能力を超えて運転出来なかった給湯装置に比べて燃焼部を簡略化し、低コスト化を図れるとともに定格以上の能力を要求される機能に対して主熱交換器の能力を自由に配分でき、利便性の高い給湯装置を提供できる。
【００４４】
（実施の形態２）
本実施の形態は請求項６にかかわる発明について説明する。図５は本発明の第２の実施の形態における燃焼装置の全体構成図である。なお、第１の実施の形態の燃焼装置と同一構造のものは同一符号を付与し、説明を省略する。図３において、第１の実施の形態の構成と異なるところは、第１循環回路が暖房回路３３を兼ね、暖房回路３３の循環装置を暖房循環装置である暖房ポンプ３４としている点にある。図示はしていないが、暖房回路３３中に暖房用放熱器が配置される。
【００４５】
以上の構成で、その動作、作用について説明する。暖房運転を要求されたとき、暖房ポンプ３４を駆動し、燃焼ファン１４の空気とガスをバーナ１５Ａで混合し燃焼を開始する。暖房運転は、給湯最大燃焼と比較し少ない燃焼量ですむためバーナ１５Ａへガスを供給しこの部分のみが燃焼する。燃焼排ガスは主熱交換器１６の吸熱部２８を通過する。バーナ１５Ｂはファン１４による空気のみが主熱交換器１６の非吸熱部２９を通過する。この時、三方弁２７により主熱交換器１６を通過する水の流路を吸熱部２８のみ通過するように切り換えることで、非燃焼部２９で冷却されることなく水を加熱することができる。高い暖房能力が必要な場合には、１５Ａ、１５Ｂを燃焼させ三方弁２７で流路を切り換え非吸熱部２９にも通水する。
【００４６】
この結果、耐圧ポンプ２３を設けなくてよいことから、給湯暖房風呂の機能を有する１缶３機能の燃焼装置をコンパクト、低コストにすることができ、少ない燃焼量の暖房運転時における放熱損失を最小限にとどめ高い燃焼熱効率を実現できる。さらに、給湯最大能力を要求されたときは、バーナ１５Ａと１５Ｂを燃焼させ、三方弁２７で流路を主熱交換器１６全体へ流れるよう切り換えることで、非燃焼部が存在しないため給湯運転時の高い燃焼熱効率も発揮できる。
【００４７】
本実施例ではバーナ１５Ａとバーナ１５Ｂの二つを切り換える例について説明したが、各バーナを更に細かく切り換えて燃焼させる構成をとることも当然可能である。さらに、図６に示すように三方弁２７を主熱交換器１６の出口側に設け、流路後段側へ複数の電磁弁３２を設けた場合でも同様の効果を発揮することができる。
【産業上の利用可能性】
【００４８】
以上のように、本発明にかかる燃焼装置は給湯、暖房、風呂加熱を行うコンパクトな１缶３機能の熱源を実現することが可能となるので、一般住宅における給湯暖房機はもちろん、マンションやアパート等の集合住宅の設置場所が狭いところでも導入できる。また、熱源のガスはもちろん灯油等を熱源とした石油ボイラーにも適用できる。
【図面の簡単な説明】
【００４９】
【図１】本発明の実施の形態１における燃焼装置の全体構成図
【図２】本発明の実施の形態１における燃焼装置の暖房立ち上がり性能を示す図
【図３】本発明の実施の形態１における燃焼装置の風呂追い焚き性能を示す図
【図４】本発明の実施の形態１の他の実施形態における燃焼装置の全体構成図
【図５】本発明の実施の形態２における燃焼装置の全体構成図
【図６】本発明の実施の形態２の他の実施形態における燃焼装置の全体構成図
【図７】従来の燃焼装置の全体構成図
【符号の説明】
【００５０】
１３  燃焼装置
１５Ａ（１５）  バーナ
１５Ｂ（１５）  バーナ
１６  主熱交換器（主熱交換装置）
１８  給湯回路（第１循環回路）
１９  暖房回路（第２循環回路）
２０  給湯暖房間接熱交換器（第１間接熱交換装置）
２１  風呂回路（第３循環回路）
２２  給湯風呂間接熱交換器（第２間接熱交換装置）
２３  耐圧ポンプ（耐圧循環装置）
２６  吸熱管
２７  三方弁（切り換え手段）
２８  吸熱部
２９  非吸熱部
３２  電磁弁（流量制御弁）
３３  暖房回路（第１循環回路）
３５  通常暖房運転モード（通常運転モード）
３６  特別暖房運転モード（特別運転モード）
３７  通常風呂運転モード（通常運転モード）
３８  特別風呂運転モード（特別運転モード）
【図１】
2006046887.tif 000003
【図２】
2006046887.tif 000004
【図３】
2006046887.tif 000005
【図４】
2006046887.tif 000006
【図５】
2006046887.tif 000007
【図６】
2006046887.tif 000008
【図７】
2006046887.tif 000009